(57)【要約】      （修正有）【課題】剛性を高めたナットを提供する。【解決手段】ナット１は、中央にネジ穴１１を有する、平面視正六角形の六角柱の外形を有するナット１であって、平面視正六角形を構成する６つの側面のそれぞれの座側に剛性を高めるための肉厚部１２１を有する。【選択図】図２
2020056475.tif 000002
【特許請求の範囲】
【請求項１】
中央にネジ穴を有する、平面視正六角形の六角柱の外形を有するナットであって、
前記平面視正六角形を構成する六つの側面のそれぞれの座側に剛性を高めるための肉厚部を有することを特徴とするナット。
【請求項２】
前記肉厚部は、高さ方向３分の１以下となる領域に位置することを特徴とする請求項１に記載のナット。
【請求項３】
前記肉厚部の肉厚は、前記平面視正六角形の頂点における肉厚と同一又はそれよりも小さいことを特徴とする請求項１又は２に記載のナット。
【請求項４】
前記肉厚部は、座面との間に間隙を有することを特徴とする請求項１から３のいずれか一項に記載のナット。
【発明の詳細な説明】
【技術分野】
【０００１】
本開示は、ナットに関する。
【背景技術】
【０００２】
ボルトをナットに締結する場合において、ナットに過大な締め付けトルクが作用すると、ナットが座屈する場合がある。特許文献１に開示されたフランジナットは、フランジを有しないナットよりも剛性が高く、フランジを有しないナットが座屈する程度の締め付けトルクが作用してもフランジナットが座屈することがない。
【先行技術文献】
【特許文献】
【０００３】
【特許文献１】特開２００１−１２４０４０号公報
【発明の概要】
【発明が解決しようとする課題】
【０００４】
特許文献１が開示するフランジナットのフランジ径は、フランジを有しないナットの対角長さよりも大きく、フランジナットの全高は、フランジを有しないナットの全高よりも高いので、ナットの幅方向（対角方向）又はナットの高さ方向にスペースが限られている場合には、フランジを有しないナットをフランジナットに交換することができない。
【０００５】
上述の事情に鑑みて、本発明の少なくとも一実施形態は、剛性を高めたナットを提供することを目的とする。
【課題を解決するための手段】
【０００６】
（１）本発明の少なくとも一実施形態に係るナットは、中央にネジ穴を有する、平面視正六角形の六角柱の外形を有するナットであって、前記平面視正六角形を構成する６つの側面のそれぞれの座側に剛性を高めるための肉厚部を有する。
【０００７】
上記（１）の構成によれば、肉厚部が平面視正六角形を構成する６つの側面のそれぞれの座側の剛性を高めることができる。
【０００８】
（２）幾つかの実施形態では、上記（１）の構成において、前記肉厚部は、高さ方向３分の１以下となる領域に位置する。
【０００９】
上記（２）の構成によれば、肉厚部が高さ方向３分の１以下となる領域に位置するので、全高の３分の２に工具が掛かり、ボルトをナットに締結できる。
【００１０】
（３）幾つかの実施形態では、上記（１）又は（２）の構成において、前記肉厚部の肉厚は、前記平面視正六角形の頂点における肉厚と同一又はそれよりも小さい。
【００１１】
上記（３）の構成によれば、肉厚部の肉厚が平面視正六角形の頂点における肉厚と同一又はそれよりも小さいので、ナットの幅方向（対角方向）にスペースが限られている場合であっても、肉厚を高めることができる。
【００１２】
（４）幾つかの実施形態では、上記（１）から（３）のいずれか一つの構成において、前記肉厚部は、座面との間に間隙を有する。
【００１３】
上記（４）の構成によれば、肉厚部は座面との間に間隙を有するので、肉厚部の締結対象物への接触を防止できる。
【発明の効果】
【００１４】
本発明の少なくとも一実施形態によれば、肉厚部が平面視六角形を構成する六つの側面の座側の剛性を高めることができる。
【図面の簡単な説明】
【００１５】
【図１】本発明の一実施形態に係るナットが採用される締結例を示す図である。
【図２】本発明の一実施形態に係るナットを概略的に示す斜視図である。
【図３】図２に示したナットの正面図である。
【図４】図２に示したナットの平面図である。
【図５】図２に示したナットの側断面図である。
【発明を実施するための形態】
【００１６】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。一方、一の構成要素を「備える」、「具える」、「具備する」、「含む」、又は、「有する」という表現は、他の構成要素の存在を除外する排他的な表現ではない。
【００１７】
図１は、本発明の一実施形態に係るナット１が採用される締結例を示す図である。図１に示すように、本発明の一実施形態に係るナット１は、ナット１の幅方向及び高さ方向にスペースが限られる被締結物の締結に用いられる。図１に示すように、本発明の一実施形態に係るナット１は、例えば、自動車のプロペラシャフト１０１とディファレンシャルギア１０２との締結に採用される。本発明の一実施形態に係るナット１は、例えば、ディファレンシャルギア１０２とプロペラシャフト１０１貫通するボルト２に螺合することで、プロペラシャフト１０１とディファレンシャルギア１０２を締結する。例えば、ナット１とプロペラシャフト１０１との間にはスプリングワッシャ（バネ座金）３が配置され、ディファレンシャルギア１０２とプロペラシャフト１０１を貫通したボルト２に螺合することで、プロペラシャフト１０１とディファレンシャルギア１０２を締結する。
【００１８】
図２は、本発明の一実施形態に係るナット１を概略的に示す斜視図である。図３は、図２に示したナット１の正面図、図４は、図２に示したナット１の平面図、図５は、図２に示したナット１の側断面図（図４に示したＶ−Ｖ断面図）である。
【００１９】
図２に示すように、本発明の一実施形態に係るナット１は、中央にネジ穴１１を有するナットである。ナット１は、平面視正六角形の六角柱の外形を有する。ナット１は、対辺を構成する二つの側面の間隔（二面幅）ｓよりも小さな高さ（全高）ｍを有している。ナット１は、規格によって定められた諸元を有する。規格によって定められる諸元は、例えば、ネジ穴の径ｄ、二面幅ｓ、ナットの高さｍ、対角距離ｅであり、例えば、日本工業規格によって定められる諸元を有している。
【００２０】
図２に示すように、本発明の一実施形態に係るナット１は、平面視正六角形を構成する６つの側面１２のそれぞれの座側に剛性を高めるための肉厚部１２１を有する。
【００２１】
上述した本発明の一実施形態に係るナット１によれば、肉厚部１２１が平面視正六角形を構成する６つの側面１２のそれぞれの剛性を高めることができる。
【００２２】
図３に示すように、本発明の一実施形態に係るナット１では、肉厚部１２１は、高さ方向３分の１以下となる領域に位置する。
【００２３】
上述した本発明の一実施形態に係るナット１によれば、肉厚部１２１が高さ方向３分の１以下となる領域に位置するので、ナット１の高さ方向３分の２に工具が掛かり、ボルト２をナット１に締結できる。ナット１の取付方向を反対にしても、肉厚部１２１が邪魔をして工具が掛からないため、ナット１の取付方向を間違うことがなく、確実に効果が得られる。
【００２４】
図４に示すように、本発明の一実施形態に係るナット１では、肉厚部１２１の肉厚ｔ２は、ナット１の平面視正六角形の頂点における肉厚ｔ１と同一又はそれよりも小さい。肉厚部１２１は、例えば、ナット１の平面視正六角形の頂点における肉厚ｔ１よりも小さい。
【００２５】
上述した本発明の一実施形態に係るナット１によれば、肉厚部１２１の肉厚ｔ２が平面視正六角形の頂点における肉厚ｔ１と同一又はそれよりも小さいので（ｔ１≧ｔ２）、ナット１の幅方向（対角方向）にスペースが限られている場合であっても、肉厚部１２１の肉厚ｔ２を高めることができる。
【００２６】
図５に示すように、本発明の一実施形態に係るナット１では、肉厚部１２１は、座面１３との間に間隙ｍ１を有する。
【００２７】
上述した本発明の一実施形態に係るナット１によれば、肉厚部１２１は、座面１３との間に間隙ｍ１を有するので、肉厚部１２１の締結対象物への接触を防止できる。例えば、ナットに過大な締め付けトルクが作用すると、ナットが座屈する場合において、ナットを本発明の一実施形態に係るナット１に交換しても、肉厚部１２１の締結対象物への接触を防止できるので、本発明の一実施形態に係るナット１の検証をしなくても済む。
【００２８】
本発明は上述した実施形態に限定されることはなく、上述した実施形態に変形を加えた形態や、これらの形態を適宜組み合わせた形態も含む。
【符号の説明】
【００２９】
１    ナット
１１    ネジ穴
１２    側面
１２１    肉厚部
２    ボルト
３    スプリングワッシャ
１０１    ディファレンシャルギア
１０２    プロペラシャフト
ｄ    ネジ穴の径
ｓ    二面幅
ｍ    高さ（全高）
ｅ    対角距離
ｔ１    正六角形の頂点の厚み
ｔ２    肉厚部の厚み
ｍ１    隙間
【図１】
2020056475.tif 000003
【図２】
2020056475.tif 000004
【図３】
2020056475.tif 000005
【図４】
2020056475.tif 000006
【図５】
2020056475.tif 000007